【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
特殊流体の組成物であって、
少なくとも一種の水素化モノテルペンおよび／または少なくとも一種の水素化ポリテルペンと、
少なくとも一種の特殊流体とを混合して含み、
前記特殊流体が、石油または合成起源の炭化水素化混合物であり、１００〜４００℃の分留温度を有し、且つその蒸留範囲が７５℃未満である、組成物。
【請求項２】
請求項１において、水素化モノ−およびポリテルペンが、鎖状および／または環状の２〜５個のイソプレン単位を有する組成物。
【請求項３】
請求項１または２において、水素化モノ−およびポリテルペンが、水素化モノ−、セスキ−、ジ−およびセス−テルペンから選択される組成物。
【請求項４】
請求項１〜３のいずれか一項において、水素化モノ−および／またはポリテルペンが、鎖状および／または環状の３〜５個のイソプロプレン単位を含み、水素化セスキ−、ジ−およびセス−テルペンから選択される、から成る組成物。
【請求項５】
請求項１〜４のいずれか一項において、水素化モノ−および／またはポリテルペンが、リモナン、ｐ−メンタン、シス−ピナン、トランス−ピナン、ファルネサン、シクロファルネサン、ビサボラン、フィタン、ラブダンおよびプリスタンから選択される組成物。
【請求項６】
請求項１〜５のいずれか一項において、組成物が、
少なくとも一種の水素化モノ−またはポリテルペンと、これと組み合わせて
少なくとも一種の他の水素化モノ−またはポリテルペンとを、
少なくとも１種の特殊流体中に含む組成物。
【請求項７】
請求項１〜６のいずれか一項において、特殊流体が、水素化分解、水素化処理、接触分解、コーキング、ビスブレーキングおよび／または水素化脱ロウによる水素化により得られ、１００〜４００℃の留分、且つ７５℃未満の蒸留範囲を有する留分であり、１０ｐｐｍ未満の硫黄および１００ｐｐｍ未満の芳香族化合物を含有する組成物。
【請求項８】
請求項１〜７のいずれか一項において、特殊流体が、２〜４個の炭素原子を有するオレフィンの重合および／またはオリゴマー化による由来物を含み、この重合が、１つの鎖当たり２〜５個のオレフィン単位を有する生成物を導き、パラフィンおよびイソパラフィンを含有する組成物。
【請求項９】
請求項１〜８のいずれか一項において、特殊流体が、天然ガス、または、炭素から変換された合成ガスから、さらにフィッシャー・トロプシュ法による炭化水素化合物へと変換されることにより得られ、該炭化水素化合物が、水素化後に、１００〜４００℃の留分および７５℃未満の蒸留範囲を有する蒸留留分に分離でき、硫黄含有量が１０ｐｐｍ以下および芳香族化合物含有量が１００ｐｐｍ未満である組成物。
【請求項１０】
請求項１〜９のいずれか一項において、組成物が、
ｐ−メンタン、シス−ピナン、およびトランス−ピナンから選択される少なくとも１種の水素化モノ−テルペンを、単独で含むか；または
前記モノ−テルペンと、
分留温度１８０〜２５０℃、密度７５０〜８２０ｋｇ／ｍ３、及び１００℃未満且つ３０℃より高い引火点を有する少なくとも１種の特殊流体とを組み合わせて含む、組成物。
【請求項１１】
請求項１〜９のいずれか一項において、組成物が、
ファルネサン、シクロファルネサンまたはビサボランから選択される少なくとも１種の水素化セスキテルペンを、単独で含むか；または、
前記セスキテルペンと、
分留温度２３０〜２９０℃、密度７６０〜８２０ｋｇ／ｍ３、および１００℃より高い引火点を有する少なくとも１種の特殊流体とを組み合わせて含む、組成物。
【請求項１２】
請求項１〜９のいずれか一項において、組成物が、
フィタン、ラブダンおよびプリスタンから選択される少なくとも１種の水素化ジテルペンを、単独で含むか；または、
前記ジテルペンと、
分留温度３００〜３５０℃、密度８００〜８３０ｋｇ／ｍ３、および１３０℃より高い引火点を有する少なくとも１種の特殊流体と組み合わせて含む、組成物。
【請求項１３】
請求項１〜９のいずれか一項において、組成物が、
フィタン、ラブダンおよびプリスタンからなる群から選択される少なくとも１種の水素化ジ−テルペンを、単独で含むか；または、
前記ジテルペンと、
３００℃より高い分留温度、密度７９０〜８４０ｋｇ／ｍ３、１３０℃より高い引火点、および粘度６．５〜１１ｍｍ２／ｓを有する少なくとも１種の特殊流体と組み合わせて含む、組成物。
【請求項１４】
石油工業、建設、家庭使用、自動車、農業食品、医薬品工業、工業用潤滑剤、家庭用燃料、および食品との接触に許容される流体の用途における、請求項１〜１３のいずれか一項に記載の組成物の使用。
【請求項１５】
請求項１４において、樹脂、塗料、ワニス、接着剤および脱脂用洗浄剤における組成物の使用であって、前記組成物が水素化モノテルペンを含む、使用。
【請求項１６】
請求項１４において、インキにおける、掘削流体としての、アルミニウム加工のための、または洗浄／脱脂剤としての、組成物の使用であって、前記組成物が水素化セスキ−テルペンを含む、使用。
【請求項１７】
請求項１４において、印刷インキにおける、潤滑剤としての、掘削流体としての、医薬品工業における、シーラントにおける、植物衛生製品における、ならびに織物および金属の処理のための、組成物の使用であって、前記組成物が水素化ジ−テルペンを含む使用。
【請求項１８】
請求項１４において、潤滑剤としての、医薬品賦形剤の製造のための、織物および金属の処理のための、およびシーラント用途のための組成物の使用であって、前記組成物が、少なくとも１種の水素化ジテルペンを、単独で、または３５０℃より高い分留温度を有する少なくとも１種の特殊流体との混合物において、含む使用。
【手続補正２】
【補正対象書類名】明細書
【補正対象項目名】００７０
【補正方法】変更
【補正の内容】
【００７０】
フィタンを基剤として有する流体は、低温で特に有効であり、−２４℃未満の流動点を有し、これは、低温で操作する場合、または最終製品をそのような低温で長期間保存する場合に、特に望ましい。
なお、本発明は、実施の態様として以下の内容を含む。
〔態様１〕
特殊流体の組成物であって、
少なくとも一種の水素化モノテルペンおよび／または少なくとも一種の水素化ポリテルペンと、
少なくとも一種の特殊流体とを混合して含み、
前記特殊流体が、石油または合成起源の炭化水素化混合物であり、１００〜４００℃の分留温度を有し、且つその蒸留範囲が７５℃未満である、組成物。
〔態様２〕
態様１において、水素化モノ−およびポリテルペンが、鎖状および／または環状の２〜５個のイソプレン単位を有する組成物。
〔態様３〕
態様１または２において、水素化モノ−およびポリテルペンが、水素化モノ−、セスキ−、ジ−およびセス−テルペンから選択される組成物。
〔態様４〕
態様１〜３のいずれか一態様において、水素化モノ−および／またはポリテルペンが、鎖状および／または環状の３〜５個のイソプロプレン単位を含み、水素化セスキ−、ジ−およびセス−テルペンから選択される、から成る組成物。
〔態様５〕
態様１〜４のいずれか一態様において、水素化モノ−および／またはポリテルペンが、リモナン、ｐ−メンタン、シス−ピナン、トランス−ピナン、ファルネサン、シクロファルネサン、ビサボラン、フィタン、ラブダンおよびプリスタンから選択される組成物。
〔態様６〕
態様１〜５のいずれか一態様において、組成物が、
少なくとも一種の水素化モノ−またはポリテルペンと、これと組み合わせて
少なくとも一種の他の水素化モノ−またはポリテルペンとを、
少なくとも１種の特殊流体中に含む組成物。
〔態様７〕
態様１〜６のいずれか一態様において、特殊流体が、水素化分解、水素化処理、接触分解、コーキング、ビスブレーキングおよび／または水素化脱ロウによる水素化により得られ、１００〜４００℃の留分、且つ７５℃未満の蒸留範囲を有する留分であり、１０ｐｐｍ未満の硫黄および１００ｐｐｍ未満の芳香族化合物を含有する組成物。
〔態様８〕
態様１〜７のいずれか一態様において、特殊流体が、２〜４個の炭素原子を有するオレフィンの重合および／またはオリゴマー化による由来物を含み、この重合が、１つの鎖当たり２〜５個のオレフィン単位を有する生成物を導き、パラフィンおよびイソパラフィンを含有する組成物。
〔態様９〕
態様１〜８のいずれか一態様において、特殊流体が、天然ガス、または、炭素から変換された合成ガスから、さらにフィッシャー・トロプシュ法による炭化水素化合物へと変換されることにより得られ、該炭化水素化合物が、水素化後に、１００〜４００℃の留分および７５℃未満の蒸留範囲を有する蒸留留分に分離でき、硫黄含有量が１０ｐｐｍ以下および芳香族化合物含有量が１００ｐｐｍ未満である組成物。
〔態様１０〕
態様１〜９のいずれか一態様において、組成物が、
ｐ−メンタン、シス−ピナン、およびトランス−ピナンから選択される少なくとも１種の水素化モノ−テルペンを、単独で含むか；または
前記モノ−テルペンと、
分留温度１８０〜２５０℃、密度７５０〜８２０ｋｇ／ｍ３、及び１００℃未満且つ３０℃より高い引火点を有する少なくとも１種の特殊流体とを組み合わせて含む、組成物。
〔態様１１〕
態様１〜９のいずれか一態様において、組成物が、
少なくとも１種の水素化セスキテルペン（例えば、ファルネサン、シクロファルネサンまたはビサボラン）を、単独で含むか；または、
前記セスキテルペンと、
分留温度２３０〜２９０℃、密度７６０〜８２０ｋｇ／ｍ３、および１００℃より高い引火点を有する少なくとも１種の特殊流体とを組み合わせて含む、組成物。
〔態様１２〕
態様１〜９のいずれか一態様において、組成物が、
フィタン、ラブダンおよびプリスタンから選択される少なくとも１種の水素化ジテルペンを、単独で含むか；または、
前記ジテルペンと、
分留温度３００〜３５０℃、密度８００〜８３０ｋｇ／ｍ３、および１３０℃より高い引火点を有する少なくとも１種の特殊流体と組み合わせて含む、組成物。
〔態様１３〕
態様１〜９のいずれか一態様において、組成物が、
フィタン、ラブダンおよびプリスタンからなる群から選択される少なくとも１種の水素化ジ−テルペンを、単独で含むか；または、
前記ジテルペンと、
３００℃より高い（好ましくは３５０〜４２５℃の）分留温度、密度７９０〜８４０ｋｇ／ｍ３、１３０℃より高い引火点、および粘度６．５〜１１ｍｍ２／ｓを有する少なくとも１種の特殊流体と組み合わせて含む、組成物。
〔態様１４〕
石油工業、建設、家庭使用、自動車、農業食品、医薬品工業、工業用潤滑剤、家庭用燃料、および食品との接触に許容される流体の用途における、態様１〜１３のいずれか一態様に記載の組成物の使用。
〔態様１５〕
態様１４において、樹脂、塗料、ワニス、接着剤および脱脂用洗浄剤における組成物の使用であって、前記組成物が水素化モノテルペンを含む、使用。
〔態様１６〕
態様１４において、インキにおける、掘削流体としての、アルミニウム加工のための、または洗浄／脱脂剤としての、組成物の使用であって、前記組成物が水素化セスキ−テルペン（特にファルネサン）を含む、使用。
〔態様１７〕
態様１４において、印刷インキにおける、潤滑剤としての、掘削流体としての、医薬品工業における、シーラントにおける、植物衛生製品における、ならびに織物および金属の処理のための、組成物の使用であって、前記組成物が水素化ジ−テルペンを含む使用。
〔態様１８〕
態様１４において、潤滑剤としての、医薬品賦形剤の製造のための、織物および金属の処理のための、およびシーラント用途のための組成物の使用であって、前記組成物が、少なくとも１種の水素化ジテルペンを、単独で、または３５０℃より高い分留温度を有する少なくとも１種の特殊流体との混合物において、含む使用。